(57)【要約】【課題】撮影したい画像を記録でき無くなることを防ぐ。【解決手段】複数の撮像装置とサーバで構成される画像記録システムであって、サーバが、複数の撮像装置から撮影スケジュール、記録時刻要求、保存期間要求及び記録情報量要求を受信し、前記記録時刻要求、前記保存期間要求及び前記記録情報量要求と複数の撮像装置の前記撮影スケジュールとを比較し、前記記録時刻要求、前記保存期間要求及び前記記録情報量要求に合致した撮像装置を検索する。【選択図】図１
2016009946.tif 000002
【特許請求の範囲】
【請求項１】
所定の通信手段により連携した複数の撮像装置と前記通信手段において連携した複数の撮像装置に接続可能なサーバで構成される画像記録システムであって、
前記撮像装置は、
撮影スケジュールをサーバに送信する送信手段と、
記録時刻要求、保存期間要求及び記録情報量要求を送信する手段を有し、
前記サーバは、
連携した複数の撮像装置から撮影スケジュールを受信する受信手段と、
撮像装置から送信された記録時刻要求、保存期間要求及び記録情報量要求を受信する受信手段と、
前記記録時刻要求、前記保存期間要求及び前記記録情報量要求と複数の撮像装置の前記撮影スケジュールとを比較する比較手段と、
前記記録時刻要求、前記保存期間要求及び前記記録情報量要求に合致した撮像装置を検索する検索手段を有する
ことを特徴とする画像記録システム。
【請求項２】
前記撮像装置は、
撮影終了時に記録媒体の残量と撮影時間を前記サーバに送信する送信手段し、
前記サーバは、
前記撮像装置から受信した前記記録媒体の残量と前記撮影時間を前記撮影スケジュールに反映し、更新する撮影スケジュール更新手段と、
各撮像装置の撮影スケジュールと実際の撮影状況との相違を把握する手段と、
前記更新した撮影スケジュールと前記記録時刻要求、前記保存期間要求及び前記記録情報要求を比較することで、撮像装置に再度画像データを保存できる撮像装置を検索することを特徴とする請求項１に記載の画像記録システム。
【請求項３】
前記サーバは、前記検索手段で検索した複数の撮像装置の記録媒体の残量を比較し、指定された前記保存期間要求の終了時に記録媒体の残量がより多い撮像装置を選択することを特徴とする請求項１に記載の画像記録システム。
【請求項４】
前記サーバは、前記検索手段で検索した複数の撮像装置の記録媒体の残量を比較し、指定された前記保存期間要求後に画像データの保存を延長することができる撮像装置を選択することを特徴とする請求項１に記載の画像記録システム。
【請求項５】
画像データを送信する側の撮像装置に他の撮像装置に画像データを保存することが不可能であるというメッセージを送信することを特徴とする請求項１に記載の画像記録システム。
【請求項６】
前記サーバは、撮像装置が依頼した画像データではなく、保存先に保存可能な画像データを再選択するための要求を、上記撮像装置に送信し、再度、保存先の撮像装置に記録可能な画像データを再選択することを特徴とする請求項２に記載の画像記録システム。
【発明の詳細な説明】
【技術分野】
【０００１】
本発明は、画像記録システムに関する。
【背景技術】
【０００２】
近年、急速なインターネットの普及により、ネットワーク上で様々な画像コンテンツが利用できるようになってきた。デジタルカメラやデジタルビデオカメラなど撮像装置にもネットワークを利用して様々な機能を使用できるようになった。
【０００３】
無線ＬＡＮのようなネットワークを介して、複数の撮像装置を連携させ、記録媒体の容量を共有するメモリシェアシステムが考案されている。
【０００４】
特許文献１は、ネットワークを介し接続した複数の撮像装置において故障状況、メモリ空き容量を通知し、他の撮像装置のメモリを利用するユーザはこの情報を元に、自機で撮影した画像データの記録先を選択することができるシステムの一例を示す。
【先行技術文献】
【特許文献】
【０００５】
【特許文献１】特開２００４−１４０７９６号公報
【発明の概要】
【発明が解決しようとする課題】
【０００６】
上記特許文献１の場合ではメモリ空き容量を通知して、空き容量に余裕のある機器に対して、自機で撮影した画像を保存する。しかしながら、画像データを転送された側の撮像装置において、まだ撮影する場面がある場合、他の撮像装置から転送された画像データによって記録容量が不足し、撮影したい場面を撮影できない可能性がある。
【０００７】
本発明は、自分の撮像装置の記録容量が不足して撮影したい画像を記録できなくなることを防止する。
【課題を解決するための手段】
【０００８】
本発明の構成は、所定の通信手段により連携した複数の撮像装置と、前記通信手段において連携した複数の撮像装置に接続可能なサーバで構成される画像記録システムであって、前記撮像装置は、撮影スケジュールをサーバに送信する送信手段と、記録時刻要求、保存期間要求及び記録情報量要求を送信する手段を有し、前記サーバは、連携した複数の撮像装置から撮影スケジュールを受信する受信手段と、撮像装置から送信された記録時刻要求、保存期間要求及び記録情報量要求を受信する受信手段と、前記記録時刻要求、前記保存期間要求及び前記記録情報量要求と複数の撮像装置の前記撮影スケジュールとを比較する比較手段と、前記記録時刻要求、前記保存期間要求及び前記記録情報量要求に合致した撮像装置を検索する検索手段を有することを特徴とする。
【発明の効果】
【０００９】
本発明によれば、無線ＬＡＮのようなネットワークを介して、複数の撮像装置を連携させ、各撮像装置の記録媒体を共有するシステムにおいて、他の撮像装置で撮影した画像データをユーザの撮像装置に保存する際に、ユーザの撮影スケジュールに応じて、画像データの記録許可を出すことより、解放する記録媒体に記録する。上記方法により、グループ内の仲間にメモリを解放した場合でも、自分の撮像装置の記録容量が不足し、自分で撮影したい画像を記録できないような課題を解決できる。
【図面の簡単な説明】
【００１０】
【図１】撮像装置の構成例を示すブロック図である。
【図２】撮影スケジュールの一例である。
【図３】画像保存依頼を作成する処理のフローチャートである。
【図４】撮像装置を選択する処理のフローチャートである。
【図５（ａ）】撮像装置の撮影スケジュールを示す図である。
【図５（ｂ）】撮像装置の撮影スケジュールを示す図である。
【図５（ｃ）】撮像装置の撮影スケジュールを示す図である。
【図５（ｄ）】撮像装置の撮影スケジュールを示す図である。
【図５（ｅ）】撮像装置の撮影スケジュールを示す図である。
【図６】撮像装置のスケジュールを示す図である。
【図７】保存先を検索する処理のフローチャートである。
【図８】検索する処理を示すフローチャートである。
【図９】撮像装置のスケジュールを示す図である。
【発明を実施するための形態】
【００１１】
以下、図面を参照して本発明を好適かつ例示的な実施形態に基づいて詳細に説明する。
【００１２】
［実施形態１］
図１において、撮像装置１は光学系１０１、撮像素子１０２、カメラ信号処理部１０３、エンコード部１０４、記録部１０５を備える。また、通信インターフェース１０６、システムコントローラ１０７、表示装置１０８を備える。
【００１３】
光学系１０１は、撮像レンズ１０、ズーム機能、焦点調節機能、及び絞り調節機能を含み、撮像レンズ１０を介して集光された被写体を撮像素子１０２の撮像面上に結像させる。撮像素子１０２は例えば、ＣＭＯＳイメージセンサやＣＣＤイメージセンサである。
【００１４】
撮像素子１０２で結像した被写体は光電変換され、映像信号として、カメラ信号処理部１０３へ入力される。カメラ信号処理部１０３では、ＲＡＷ画像データから輝度信号、色信号に変換され、その信号に対して、ガンマ処理、ノイズリダクション処理、ホワイトバランス処理などの現像処理が行われる。ＲＡＷデータとは、撮像素子１０２から得られた信号をデジタル信号に変換し、カメラ信号処理前の映像データのことである。カメラ信号処理部１０３から出力された信号は、エンコード部１０４で、例えば、Ｈ．２６４やＭＰＥＧ−２といった各種フォーマットに乗っ取った圧縮のエンコード処理などが施され、記録用の信号に変換された後、記録部１０５で記録される。記録部１０５はフラッシュメモリやＨＤＤに限らず、外部メモリとして、メモリーカードや光ディスクなどでも良い。
【００１５】
また、表示部１０８は液晶画面（ＬＣＤ）等から構成されており、カメラ信号処理部１０３から出力された画像信号より、撮像時のスルー画像及び、再生時の再生画像、処理選択時の選択用メニューや操作指示用のメッセージ等の表示を行う。
【００１６】
システムコントローラ１０７はＣＰＵ、ＲＡＭ、プログラム格納用ＲＯＭなどを有したマイクロプロセッサ構成を有しており、ＣＰＵは、上述の各回路などにバスラインを介して接続し、プログラム格納用ＲＯＭに格納されている制御プログラムにより、撮像装置全体の制御を行う。
【００１７】
通信インターフェース１０６がネットワーク１２０に接続し、画像サーバ１２１に接続可能となっている。通信インターフェース１０６は無線ＬＡＮのようなネットワークを介し、複数の撮像装置と連携することで、画像データを送ることができる。例えば、図１のように撮像装置２、撮像装置３とネットワーク１２０を介し、連携する。
【００１８】
撮像装置２における、１１１〜１１８の各モジュールは上記撮像装置１と同様の動きをする。また撮像装置３も同様の機能を有する。
【００１９】
サーバ１２１の構成の構成を示す。各モジュールはバスライン１２５によって接続され画像データや制御信号が伝送される。ＣＰＵ１２２はサーバ全体の動作を制御し、通信部１２３、記憶部１２４と接続される。通信部１２３は、ネットワーク１２０を介し、各撮像装置と接続される。記憶部１２４は、撮影スケジュールを保存しておく。
【００２０】
図２の撮影スケジュールは、ネットワークに接続できる環境、例えば、パーソナルコンピュータで学校側からの配付される資料であり、学校のホームページからダウンロードできる。ユーザは、パーソナルコンピュータで、上記撮影スケジュールの競技２０１を選択し、撮影モード２０２と撮影予定時間２０３を登録する。ユーザは、イベントで撮影する予定として作成した撮影スケジュールをサーバ１２１の記憶部１２４に保存する。
【００２１】
ネットワーク上で連携している複数の撮像装置は、予め設定した運動会での上記撮影スケジュールと記憶容量の残りの残量をサーバ１２１に記録する。図５に、横軸に時刻、縦軸に記録容量を表し、所定の通信手段で連携した複数の撮像装置からサーバ１２１に送信した撮影スケジュールをグラフ化したものを示す。図５（ａ）は撮像装置１、図５（ｂ）は撮像装置２、図５（ｃ）は撮像装置３のスケジュールを示す。図５では、５０１のように記録容量は、記録していることによって、記録容量が減少していることを示していることを意味し、記録モードによってその傾きが異なる。なお、記録モードの例として、ＦＸＰ（平均ビットレート約１７Ｍｂｐｓ）やＭＸＰ（平均ビットレート約２４Ｍｂｐｓ）等がある。また、５０２のように時間毎に撮像装置の記録媒体の残量が変化しないところは、待機中を意味している。
【００２２】
ここで、撮像装置１の撮影者が、予め設定した撮影スケジュールで想定した以上の撮影を行った場合を考える。図５（ａ）において、太い破線で示した５０３は、設定しておいたスケジュール以外で撮影したことを表している。そのため、撮像装置１の撮影者が、５０３のように予定にない撮影を行うと、５０４で予め図２のスケジュールを立てた撮影ができなくなる可能性が出てくる。このとき、撮像装置１が、連携している撮像装置に問い合わせて、記録された画像データを他の撮像装置に保存する処理を行う。
【００２３】
図３は、他の撮像装置の記録媒体に画像データを記録することを依頼する撮像装置１のフローチャートである。
【００２４】
Ｓ３０１では、撮像装置１は、１つの撮影シーンを撮影し、撮影時間と記録媒体の残量をサーバ１２１に送信し、撮影スケジュールを更新する。
【００２５】
Ｓ３０２では、撮像装置１の記録媒体の残量が、基準値以下に達した時に、Ｓ３０３に移行する。記録媒体の残量が、基準値以上の場合は待機する。基準値は、例えば図５（ａ）の５０４のように、予定していた撮影ができないとサーバ１２１が判断した場合である。
【００２６】
Ｓ３０３では、Ｓ３０２で記録媒体の残量が、基準値以下と撮像装置１が判断した場合、システムコントローラ１０７は、撮像装置１の表示部１０８に記録媒体の残量が残り少ないことを撮影者に伝えるメッセージを表示する。
【００２７】
Ｓ３０４では、撮像装置１の撮影者が、撮像装置１に記録した画像を他の撮像装置の記録媒体に記録するかを判断する。他の撮像装置の記録媒体に記録する場合にはＳ３０５に移行し、記録しない場合には、そのまま終了する。
【００２８】
Ｓ３０５では、撮像装置１の撮影者は、画像データ保存依頼を作成する。上記画像データ保存依頼には、撮像装置１が、他の撮像装置の記録媒体に保存してほしい画像データの容量と上記保存してほしい画像データの保存期間を提示する。
【００２９】
Ｓ３０６では、撮像装置１のユーザが、保存してほしい画像を記録媒体に記録してある画像データから選択する。
【００３０】
Ｓ３０７では、撮像装置１のユーザが、保存してほしい画像の保存期間を選択する。ここでは、撮像装置１に画像データを保存してほしい時間を入力する。
【００３１】
Ｓ３０６、Ｓ３０７で選択した画像データの容量と保存期間が、サーバ１２１に保存される。
【００３２】
図４は、本発明における撮像装置１から画像データ保存依頼を受信したサーバ１２１内の処理を示す。サーバ１２１のＣＰＵ１２２により、以下のフローが制御される。
【００３３】
Ｓ４０１では、サーバ１２１は、撮像装置１から送信された画像データの容量と保存期間を受信する。
【００３４】
Ｓ４０２では、サーバ１２１が、Ｓ４０１で受信した画像データの容量と、保存期間、サーバ１２１にある複数の撮像装置のスケジュールとの比較を行い、保存可能な撮像装置を検索する。例えば、図５（ｄ）の５０５において、撮像装置１が１０ギガバイトの画像データを３時間保存したいと依頼された場合、撮像装置２のスケジュールと比較を行い、３時間後の時刻まで、１０ギガバイトの画像データを保存可能であると判断できる撮像装置を検索する。予めサーバ１２１に保存した撮像装置２のスケジュールは、３時間後の１５時には１３ギガバイトの容量が残っているため、撮像装置１の画像データを保存可能であるとサーバ１２１が判断する。また、図５（ｅ）のように、撮像装置３のスケジュールと比較した場合、３時間後の１５時には１０ギガバイトの容量が残っているため、撮像装置２と同様に撮像装置１の画像データが保存可能と、サーバ１２１が判断する。
【００３５】
Ｓ４０３では、サーバ１２１が、撮像装置１の画像データを保存できる撮像装置があると判断した場合、Ｓ４０４に移行し、保存できる撮像装置が一台もないと判断した場合、Ｓ４０９に移行する。
【００３６】
Ｓ４０４では、Ｓ４０２で撮像装置１から受信した画像データ保存依頼を満たす撮像装置が複数台検索したかを判断する。例えば、Ｓ４０２において撮像装置２と撮像装置３が、検索した場合、Ｓ４０５に移行する。サーバ１２１が、１台のみ検索した場合、Ｓ４０６に移行する。
【００３７】
Ｓ４０５では、Ｓ４０２で受信した画像データ保存依頼を満たす撮像装置が複数台、検索された場合、サーバ１２１は、記録媒体の残量とその後のスケジュールの比較を行い、保存先を選択する。例えば、Ｓ４０２で検索された撮像装置２と撮像装置３の比較を行い、図５（ｄ）に示すように、撮像装置２のスケジュールでは３時間後には１３ギガバイトの記録媒体の残量があり、さらに１時間の保存が可能なのに対して、図５（ｅ）のように、撮像装置３は３時間後には１０ギガバイトの画像データが記録媒体に記録可能であるが、その後のスケジュールを見ると、図５（ｄ）の撮像装置２の予定と比較して記録媒体の残量が少ない。これより、サーバ１２１は、３時間後の記録媒体の残量が多い場合、及びその後の撮影予定が少ない場合の撮像装置を選択する。ここでは、図５（ｄ）、（ｅ）を比較した場合、撮像装置２を優先的に選択する。
【００３８】
Ｓ４０６では、撮像装置１の画像データを保存できる撮像装置が存在することを撮像装置１に伝える保存可能メッセージを作成する。この時、複数の撮像装置は撮影スケジュールを送信するため、受信した撮影スケジュールと記録容量には、特定の撮像装置であることが分かるようにＩＤを付加する。付加するＩＤはサーバ１２１がランダムに設定した番号でも良いし、予め複数の撮像装置でネットワークを介して連携する場合に、その撮像装置の名称や所有者の名称を設定しても良い。
【００３９】
Ｓ４０７では、Ｓ４０６で作成した保存可能メッセージを撮像装置１に送信する。
【００４０】
Ｓ４０８では、画像保存先の撮像装置に画像データ保存依頼を送信する。例えば、サーバ１２１は、撮像装置２に画像データの容量と保存期間を送信し、画像データが撮像装置２に送信されることを知らせる。
【００４１】
Ｓ４０９では、サーバ１２１が、Ｓ４０３で保存する撮像装置が一台も検索できなかった場合には、保存不可メッセージを作成する。
【００４２】
Ｓ４１０では、Ｓ４０９で作成した保存不可メッセージを撮像装置１に送信する。
【００４３】
本発明では、ある撮像装置の画像データを他の撮像装置の記録媒体に記録したいという依頼に対して、ネットワークを介して連携している複数の撮像装置の各ユーザが、撮影スケジュールをサーバに登録することと、画像データを保存したいと依頼した撮像装置のユーザが保存したい画像データの記録容量とその保存期間をサーバに送信し、サーバが、登録した各スケジュールと比較を行い、自動的に適切な保存先を検索することで、依頼をした撮像装置から転送された画像データによって記録容量が不足し、予定していた場面を撮影できない撮像装置を少なくすることができる。
【００４４】
ここで、上記実施例に当てはめ、撮像装置１の画像データを保存した撮像装置２が、撮影スケジュールで想定した以上に撮影した場合、保存してある撮像装置１の画像データを、画像データ保存依頼にある保存期間で保存できない可能性がある。
【００４５】
撮像装置２が、撮像装置１の画像データを消去することなく、且つ、これから撮影予定の画像データの容量を確保できるようなサーバ１２１の処理を、図７を用いて説明する。サーバ１２１のＣＰＵ１２２により、以下のフローが制御される。
【００４６】
Ｓ７０１では、サーバ１２１は、一定期間毎に連携している撮像装置のスケジュールを更新する。例えば、撮像装置２が、通信部１１６よりネットワーク１２０を介し、サーバ１２１と通信して、直前の撮影時間と現時刻の記録媒体の残量の情報をサーバ１２１に送信する。サーバ１２１は、受信した撮像装置２の直前の撮影時間と記録媒体の残量を元に、スケジュールの更新を行う。
【００４７】
Ｓ７０２では、Ｓ７０１でスケジュールを更新した撮像装置が、他の撮像装置の画像データを保存している場合、直前のスケジュールと比較する。その時、直前のスケジュールよりも長時間撮影した場合、Ｓ７０３に移行する。例えば、撮像装置２が、撮像装置１の画像データを保存している場合、サーバ１２１において、Ｓ７０１で更新された撮影スケジュールと、更新される直前の撮影スケジュールとの比較を行い、直前の撮影スケジュールよりも長時間撮影したと判断した撮像装置の場合、Ｓ７０３に移行する。また、撮影スケジュール通りに撮影されていた場合はそのまま待機する。
【００４８】
Ｓ７０３では、Ｓ７０２でユーザが撮影スケジュールの想定以上に長時間撮影した場合、他の撮像装置の画像データを保存している撮像装置において、保存している画像データが、依頼された保存期間で保存が不可能であるかを判断する。例えば、サーバ１２１において、図６のように更新された撮像装置２の撮影スケジュールにおいて、保存期間３時間後には９ギガバイトの画像データが保存しか保存できず、撮像装置１の画像データ保存依頼にある１０ギガバイトの画像データを保存期間３時間で保存不可であるとサーバ１２１は判断し、Ｓ７０４に移行する。また、撮像装置２の記録媒体の残量が、撮影スケジュールよりも減少しても、撮像装置１の画像データが保存期間で保存可能である場合、Ｓ７０１に移行する。
【００４９】
Ｓ７０４では、サーバ１２１が、他の撮像装置の画像データを保存できない撮像装置に対して、警告メッセージを送信する。例えば、サーバ１２１が、撮像装置２において、撮像装置１の画像データを依頼した保存期間で保存不可であるという警告メッセージを撮像装置２に送信する。
【００５０】
Ｓ７０５では、サーバ１２１は、図４のＳ４０２と同様に、Ｓ４０１で受信した画像データの容量と、保存期間、サーバ１２１にある複数の撮像装置の撮影スケジュールとの比較を行い、保存可能な撮像装置を検索する。例えば、サーバ１２１は、撮像装置１の画像データの容量と保存期間と撮像装置２以外の保存可能な撮像装置を再検索する。
【００５１】
Ｓ７０６では、Ｓ７０５で撮像装置１の画像データを保存可能な撮像装置が、連携している撮像装置の中に存在すれば、Ｓ７０７に移行する。１台も検索されなければ、Ｓ７０９に移行する。ここでは、１０ギガバイトの画像データを依頼した時刻１２時から３時間保存できる撮像装置を撮像装置３とする。
【００５２】
Ｓ７０７では、サーバ１２１は、他の撮像装置の画像データを保存している撮像装置に画像データ転送依頼を送信する。画像データ転送依頼を受信した他の撮像装置の画像データを保存している撮像装置は、Ｓ７０５で再検索した撮像装置に画像データを送信する。例えば、撮像装置１の画像データを保存している撮像装置２は、画像データ伝送依頼を受信し、撮像装置３に撮像装置１の画像データを送信する。
【００５３】
Ｓ７０８では、保存を依頼した撮像装置に画像データ保存先変更のメッセージを送信する。例えば、Ｓ７０５において、サーバ１２１が、撮像装置１の画像データを保存できる撮像装置３を検索した場合、撮像装置１に画像データ保存先変更メッセージを送信する。
【００５４】
Ｓ７０９では、Ｓ７０６において撮像装置の画像データを保存可能な撮像装置が、一台もない場合、撮像装置１に保存画像データ変更の依頼を出す。例えば、保存画像データ変更は、撮像装置２に保存した撮像装置１の画像データよりも、画像データ容量が小さく、撮像装置２が保存期間で保存できる条件を撮像装置１に送信する。例えば、図６のように撮像装置２が保存期間で９ギガバイトの画像データだけ保存できない場合、撮像装置１には９ギガバイト以下の画像データを選択してもらい、撮像装置２にある画像データと交換する。
【００５５】
これより、サーバ１２１が、他の撮像装置の画像データを保存している撮像装置の撮影スケジュールを更新し、想定以上の撮影を行ったため、他の撮像装置の画像データが保存できないと判断した場合、画像データを保存期間で保存可能な撮像装置を再検索することで、依頼された保存期間で保存できない可能性を下げることができる。本発明では、三台の撮像装置で説明していたが、実際には何台もの撮像装置を連携させることで依頼された保存期間で保存できない可能性をさらに下げることができる。
【００５６】
［実施形態２］
本発明の第２の実施形態は図８のサーバ１２１の処理を表すフローチャートと図９の撮影スケジュールのグラフを用いて説明する。本実施形態の撮像装置の構成は、第１の実施形態と同様であるため、重複する説明は省略する。
【００５７】
ここで、撮像装置１から１０ギガバイトの画像データを５時間保存する画像データ保存依頼を出す場合を想定する。
【００５８】
図８は、図４のＳ４０３で撮像装置の画像データの保存先が見つからない場合に、サーバ上で再検索する時のフローチャートである。例えば、図９（ａ）は、９０１に示すように５時間後の１７時には、撮像装置２の記録媒体の残量が８ギガバイトなので、このままでは、撮像装置１の依頼を受けることができない。他の撮像装置でも、同様に撮像装置１の画像データ保存依頼の保存期間で画像データを受けることができないと仮定する。サーバ１２１のＣＰＵ１２２により、以下のフローが制御される。
【００５９】
Ｓ８０１では、サーバ１２１は、一定期間毎に連携している撮像装置の撮影スケジュールを更新する。例えば、撮像装置２が、通信部１１６よりネットワーク１２０を介し、サーバ１２１と通信して、直前の撮影時間と現時刻の記録媒体の残量の情報をサーバ１２１に送信する。サーバ１２１は、受信した撮像装置２の直前の撮影時間と記録媒体の残量を元に、撮影スケジュールの更新を行う。
【００６０】
Ｓ８０２では、サーバ１２１は、更新された撮影スケジュールと更新される直前の撮影スケジュールとの比較を行い、直前の撮影スケジュールよりも短時間で撮影した場合、Ｓ８０３に移行する。例えば、図９（ｂ）に、図９（ａ）で撮像装置１の画像データを保存できなかった撮像装置２において、撮像装置１から画像データ保存依頼があった後にサーバ１２１に記録されている撮影スケジュールよりも短時間しか撮影していない場合を示す。撮影スケジュール通りであると判断された場合は待機する。
【００６１】
Ｓ８０３では、画像データの保存先が見つからない撮像装置の画像データ保存依頼を検索し、サーバ上にまだ保存されていればＳ８０４に移行し、保存されていなければ待機する。例えば、撮像装置１の画像データ保存依頼が他の撮像装置に受け付けられなかった場合、サーバ１２１に画像データ保存依頼を保存しておく。
【００６２】
Ｓ８０４では、Ｓ８０１で撮影スケジュールを更新し、サーバ１２１が、撮影スケジュールよりも短時間で撮影していると判断した撮像装置の撮影スケジュールと画像データを他の撮像装置に保存したい撮像装置の画像データ容量と保存期間を比較する。例えば、撮像装置１の画像データの容量と保存期間とＳ８０２で直前の撮影スケジュールよりも短時間で撮影したと判断した撮像装置２の撮影スケジュールとを比較する。
【００６３】
Ｓ８０５では、サーバ１２１は、画像データを他の撮像装置に保存できない撮像装置の画像データを依頼された保存期間で保存できる撮像装置を、検索した場合、Ｓ８０６に移行する。例えば、図９（ｂ）の撮像装置の更新後の撮影スケジュールでは５時間後の１７時に１０ギガバイトの容量が保存できる状態になっている為、サーバ１２１は撮像装置１の画像データを保存できると判断する。また、撮像装置１の画像データが、保存できる状態になったと判断した撮像装置が、一台もなければ、Ｓ８０１に移行する。
【００６４】
Ｓ８０６では、実施例１に記載の図４のＳ４０６と同様に保存可能メッセージを作成する。
【００６５】
Ｓ８０７では、Ｓ８０６で作成した保存可能メッセージを画像データの保存を依頼した撮像装置に送信する。例えば、保存可能メッセージを撮像装置１に送信する。
【００６６】
Ｓ８０８では、画像データの容量と保存期間の情報をＳ８０４で検索した撮像装置に送信する。
【００６７】
このように本実施形態おいて、他の撮像装置の画像データを受け付けた撮像装置の撮影スケジュールで予定よりも撮影を行わなかった場合、撮像装置は、サーバ１２１上の撮影スケジュールを更新し、サーバは、過去に受け付けた画像データ保存依頼を検索し、更新した撮影スケジュールと受け付けた画像データ保存依頼を比較して、撮像装置の画像データを受け付ける。これより、前記画像記録システムにおいて、画像を保存できない可能性を下げることができる。
【符号の説明】
【００６８】
１  撮像装置、１０１  光学系、１０２  撮像素子、１０３  カメラ信号処理部、
１０４  エンコード部、１０５  記録部、１０６  通信インターフェース、
１０７  システムコントローラ、１０８  表示装置
【図１】
2016009946.tif 000003
【図２】
2016009946.tif 000004
【図３】
2016009946.tif 000005
【図４】
2016009946.tif 000006
【図５（ａ）】
2016009946.tif 000007
【図５（ｂ）】
2016009946.tif 000008
【図５（ｃ）】
2016009946.tif 000009
【図５（ｄ）】
2016009946.tif 000010
【図５（ｅ）】
2016009946.tif 000011
【図６】
2016009946.tif 000012
【図７】
2016009946.tif 000013
【図８】
2016009946.tif 000014
【図９】
2016009946.tif 000015